(57)【要約】【課題】セキュリティ性能と利便性とを両立できる通信システムを提供する。【解決手段】監視システムは、センサと、センサと通信可能であり、固定電話網に接続されて他固定電話機と通話可能な親機と、を備える。親機は、センサから検知情報を受信する通信部と、センサからの検知情報が異常状態を示す場合に警報を出力する警報出力部とを備える。【選択図】図８
2015185164.tif 000002
【特許請求の範囲】
【請求項１】
センサと、前記センサと通信可能であり、固定電話網に接続されて他固定電話機と通話可能な親機とを備える監視システムであって、
前記親機は、
前記センサから検知情報を受信する通信部と、
前記センサからの前記検知情報が異常状態を示す場合に警報を出力する警報出力部とを備えたことを特徴とする、
監視システム。
【請求項２】
前記親機との間で無線通信可能であり、携帯電話網を介して他携帯電話機と接続する携帯電話端末を更に備え、前記親機は前記センサからの前記検知情報を前記携帯電話端末に送信することを特徴とする請求項１記載の、
監視システム。
【請求項３】
前記センサと前記親機とはＤＥＣＴによって通信を実行する、請求項２記載の、
監視システム。
【請求項４】
前記親機は警戒状態に設定する警戒モード指定部を備え、前記警戒モード指定部が警戒状態を設定しているときのみ、前記警報出力部は警報を出力する、請求項１記載の、
監視システム。
【請求項５】
前記親機の前記警報出力部はスピーカであり、前記スピーカは検知情報が異常状態を示す場合に警報音を鳴動させる請求項３記載の、
監視システム。
【請求項６】
センサと、前記センサと通信可能であり、固定電話網に接続されて他固定電話機と通話可能な親機とを備える監視システムを用いた監視方法であって、
前記親機は、
前記センサから検知情報を受信し、前記センサからの前記検知情報が異常状態を示す場合に警報を出力することを特徴とする、
監視方法。
【発明の詳細な説明】
【技術分野】
【０００１】
本発明は、監視システム及び監視方法に関する。
【背景技術】
【０００２】
従来、例えば防犯、警備、又は監視に用いられる様々なシステムが知られている（例えば、特許文献１〜特許文献５参照）。
【０００３】
特許文献１では、電話システムが、監視モードで人感センサが侵入者を検知した場合、同じシステム内の他の電話端末に発呼し、発呼先の電話端末からの応答を利用して、警報の発報を制御するセキュリティ機能を有する。
【０００４】
特許文献２では、親機、音声子機、及び防犯子機を用いて防犯装置が構成される。防犯子機が変化を検知した場合、防犯子機が、親機へ異常通知を行う。防犯子機が変化を検知しないまま所定時間が経過した場合、防犯子機が、親機に対して異常とは別の定期通知を行う。
【０００５】
特許文献３では、セキュリティシステムが、操作手段を備えた携帯機から送信されるＩＤ信号に含まれているＩＤコードが、正規のＩＤコードか否かを判定する。セキュリティシステムは、この判定結果に基づいて、ドア錠を施錠又は解錠するように制御する。
【０００６】
特許文献４では、監視装置が、解除禁止時間帯に利用者が監視モードを一度監視セットモードに設定しても、猶予時間が経過するまでは監視モードを監視解除モードへの移行を禁止しないよう制御する。
【０００７】
特許文献５では、警備システムの制御装置は、警備モードが警備セットモードに設定されている場合、人の動作を検知する特定センサと、外部からの侵入者を検知する外周センサと、のいずれかが検知した場合、監視センタに侵入異常信号を送信するよう制御する。制御装置は、警備モードが在室セットモードに設定されている場合、外周センサの検知後の所定時間以内に特定センサが検知すると、監視センタに非常信号を送信するよう制御する。
【先行技術文献】
【特許文献】
【０００８】
【特許文献１】特開２０１０−２３３１６３号公報
【特許文献２】特開２００５−３２７０３４号公報
【特許文献３】特開２００４−１３３７９７号公報
【特許文献４】特開２００６−２４４０３９号公報
【特許文献５】特開２００８−３１０７０５号公報
【発明の概要】
【発明が解決しようとする課題】
【０００９】
特許文献１〜５の技術では、セキュリティ性能と利便性との両立が不十分であった。
【００１０】
本発明は、上記事情に鑑みてなされたものであり、セキュリティ性能と利便性とを両立できる監視システム及び監視方法を提供する。
【課題を解決するための手段】
【００１１】
本発明は、センサと、前記センサと通信可能であり、固定電話網に接続されて他固定電話機と通話可能な親機とを備える監視システムであって、前記親機は、前記センサから検知情報を受信する通信部と、前記センサからの前記検知情報が異常状態を示す場合に警報を出力する警報出力部とを備えたことを特徴とする、監視システムである。
【００１２】
本発明は、センサと、前記センサと通信可能であり、固定電話網に接続されて他固定電話機と通話可能な親機とを備える監視システムを用いた監視方法であって、前記親機は、前記センサから検知情報を受信し、前記センサからの前記検知情報が異常状態を示す場合に警報を出力することを特徴とする、監視方法である。
【発明の効果】
【００１３】
本発明によれば、セキュリティ性能と利便性とを両立できる。
【図面の簡単な説明】
【００１４】
【図１】実施形態における監視システムの構成例を示すブロック図
【図２】実施形態におけるコードレス電話親機の構成例を示すブロック図
【図３】実施形態における監視カメラの構成例を示すブロック図
【図４】実施形態における開閉センサの構成例を示すブロック図
【図５】実施形態におけるコードレス電話子機の構成例を示すブロック図
【図６】実施形態におけるスマートフォンの構成例を示すブロック図
【図７】実施形態における監視システムの動作例を示すシーケンス図
【図８】実施形態におけるコードレス電話親機によるセキュリティ制御の一例を示すフローチャート
【図９】実施形態におけるコードレス電話親機による警報出力制御の第１例を示すフローチャート
【図１０】実施形態におけるコードレス電話親機による警報出力制御の第２例を示すフローチャート
【図１１】実施形態における監視システムと連携する場合のスマートフォンの動作例を示すフローチャート
【図１２】実施形態におけるコードレス電話親機による警報出力制御の第３例を示すフローチャート
【図１３】実施形態における無線ＬＡＮの通信圏とコードレス親機とスマートフォンとの位置関係の具体例を示す模式図
【発明を実施するための形態】
【００１５】
以下、本発明の実施形態について、図面を参照して説明する。
【００１６】
（本発明の一形態を得るに至った経緯）
例えば、家庭用の監視システムでは、宅内に家族が誰も居ない場合に、監視動作を行い、家族の一人が帰宅した場合に、帰宅者が所定時間以内に所定の解除操作を行って監視動作を解除することが想定される。
【００１７】
特許文献１〜５の技術では、監視動作を解除するまでの所定時間を定めることが難しく、例えば、この時間の長さは状況に応じて変化する可能性がある。例えば、待機時間が長すぎる場合には、侵入者に十分な猶予時間を与え、被害が拡大する可能性がある。一方、待機時間が短すぎる場合、帰宅者が解除操作を完了する前に、監視システムが帰宅者を侵入者と誤認して報知する可能性が高くなる。つまり、待機時間を長めに定めると監視システムの性能が低下し、待機時間を短めに定めると、ユーザの利便性が低下することがある。
【００１８】
以下、セキュリティ性能と利便性とを両立できる通信システム、制御装置、及び制御方法について説明する。
【００１９】
（実施形態）
図１は、実施形態における監視システム１０００の構成例を示すブロック図である。監視システム１０００は、例えば、宅内１０（例えば、一般的な住居）において、居住者以外の人物の侵入を監視するために利用される。
【００２０】
監視システム１０００は、例えば、コードレス電話親機１００、監視カメラ２００、開閉センサ３００、人感センサ３６０、煙センサ３７０、スマートプラグ３８０、及びコードレス電話子機４００を備える。監視システム１０００は、スマートフォン５００を含まずにスマートフォンと連携して動作してもよいし、スマートフォン５００を含んで構成されてもよい。
【００２１】
宅内１０には、例えば、コードレス電話親機１００、監視カメラ２００、開閉センサ３００、人感センサ３６０、煙センサ３７０、スマートプラグ３８０、及びコードレス電話子機４００、が配置される。監視カメラ２００、開閉センサ３００、人感センサ３６０、煙センサ３７０、スマートプラグ、及びコードレス電話子機４００は、例えば、コードレス電話親機１００の子機として動作する。
【００２２】
監視システム１０００は、通信システムの一例である。スマートフォン５００は、携帯端末の一例である。コードレス電話親機１００は、制御装置の一例である。監視カメラ２００、開閉センサ３００、人感センサ３６０、煙センサ３７０、及びスマートプラグ３８０は、センサの一例である。
【００２３】
図１では、複数の監視カメラ２００が、異なる位置に設置される。図１では、１つの監視カメラ２００は、例えば、宅内１０に設置され、宅内１０を撮像範囲に含む。他の監視カメラ２００は、例えば、宅内１０の外壁や近傍に設置され、宅内１０の外（宅外）において宅内１０の近傍を撮像範囲に含む。
【００２４】
図１では、複数の人感センサ３６０が、異なる位置に設置される。１つの人感センサ３６０は、１つの監視カメラ２００は、例えば、宅内１０に設置され、宅内１０を検知範囲に含む。他の人感センサ３６０は、例えば、宅内１０の外壁や近傍に設置され、宅外において宅内１０の近傍を検知範囲に含む。
【００２５】
図１では、開閉センサ３００は、開閉可能な窓の近傍に設置される。図１では、複数のコードレス電話子機４００は、コードレス電話親機１００と通信可能な範囲に配置される。
【００２６】
例えば、監視システム１０００（例えばコードレス電話親機１００）に、スマートフォン５００の情報（例えば識別情報）が事前に登録されることにより、スマートフォン５００と監視システム１０００とが連携して動作する。
【００２７】
スマートフォン５００は、例えば、３Ｇ無線通信回線を経由して携帯電話網５０と接続してもよい。スマートフォン５００は、例えば、無線ＬＡＮ（Ｌｏｃａｌ  Ａｒｅａ  Ｎｅｔｗｏｒｋ）の通信回線を経由して、無線ルータ８０と接続されてもよい。
【００２８】
コードレス電話親機１００は、固定電話網４０と接続される。コードレス電話親機１００は、例えば、無線ＬＡＮを経由して、無線ルータ８０と接続されてもよい。無線ルータ８０は、インターネット６０と接続される。
【００２９】
従って、スマートフォン５００は、宅内１０では、無線ＬＡＮを利用し、無線ルータ８０を介して、コードレス電話親機１００との間で通信できる。スマートフォン５００は、宅外の任意の場所では、３Ｇ無線通信回線、携帯電話網５０、及び固定電話網４０を経由して、コードレス電話親機１００との間で通信できる。
【００３０】
コードレス電話親機１００、開閉センサ３００、人感センサ３６０、煙センサ３７０、スマートプラグ３８０、及びコードレス電話子機４００は、例えば、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）規格の無線通信機能を有する。
【００３１】
従って、コードレス電話親機１００は、開閉センサ３００、人感センサ３６０、煙センサ３７０、スマートプラグ３８０、及びコードレス電話子機４００との間で、無線通信（例えばＤＥＣＴ通信）を実施できる。コードレス電話親機１００は、例えば、ＴＤＭＡ（Ｔｉｍｅ  Ｄｉｖｉｓｉｏｎ  Ｍｕｌｔｉｐｌｅ  Ａｃｃｅｓｓ）の通信方式に従って、コードレス電話親機１００及び複数の子機（符号３００，３６０，３７０，４００）によるＤＥＣＴ通信を管理する。
【００３２】
コードレス電話親機１００及び監視カメラ２００は、無線ＬＡＮの通信機能を有する。従って、コードレス電話親機１００は、無線ルータ８０を経由して又は直接、監視カメラ２００との間で無線通信できる。
【００３３】
開閉センサ３００は、例えば窓又はドアの開閉状態を検知し、検知結果を表す検知情報（センサ検知情報）を、例えばコードレス電話親機１００へ送信する。人感センサ３６０は、宅内１０又は宅外における人物の有無を検知し、検知結果を表す検知情報を、例えばコードレス電話親機１００へ送信する。煙センサ３７０は、煙の有無を検知し、検知結果を表す検知情報を、例えばコードレス電話親機１００へ送信する。スマートプラグ３８０は、例えば、宅内１０の使用電力量を計測し、コードレス電話親機１００へ送信する。
【００３４】
監視システム１０００は、１つ又は複数の人感センサ３６０を含む。例えば、宅内の人感センサ３６０は、宅内１０に存在する人を検知する。例えば、宅外の人感センサ３６０は、例えば宅内１０近傍の宅外に存在する人を検知する。人感センサ３６０により、宅内１０に接近した不審者、又は宅内１０に侵入した侵入者を検知できる。
【００３５】
監視システム１０００は、１つ又は複数の開閉センサ３００を含む。図１では、窓に開閉センサ３００が設置されることを例示しているが、他の場所（例えば、建築物の開口部（例えば玄関扉））の開閉状態を検出するように設置されてもよい。開閉センサ３００により、侵入者の有無を検知できる。
【００３６】
次に、コードレス電話親機１００の構成例について説明する。
図２は、コードレス電話親機１００の構成例を示すブロック図である。
【００３７】
コードレス電話親機１００は、固定電話回線Ｉ／Ｆ（Ｉｎｔｅｒｆａｃｅ）部１０１、記憶部１０３、音声入出力制御部１０４、操作部１０５、表示部１０６、ＤＥＣＴ無線Ｉ／Ｆ部１０７、及びＤＥＣＴプロトコル制御部１０８を備える。コードレス電話親機１００は、親機制御部１０９、画像メモリ制御部１１４、画像メモリ１１５、無線ＬＡＮ制御部１２１、無線ＬＡＮ通信Ｉ／Ｆ部１２２、留守番電話制御部１２５、及び子機／携帯端末充電部１２６を備える。コードレス電話親機１００は、ＵＳＢ（Ｕｎｉｖｅｒｓａｌ  Ｓｅｒｉａｌ  Ｂｕｓ）通信Ｉ／Ｆ部１２７、マイクロホン（ＭＩＣ）１２８、及びスピーカ（ＳＰＫ）１２９を備える。
【００３８】
親機制御部１０９は、呼制御部１１０、音声ストリーム処理部１１２、及び監視機能制御部１１３を備える。
【００３９】
無線ＬＡＮ制御部１２１及び無線ＬＡＮ通信Ｉ／Ｆ部１２２は、制御装置の第１の通信部の一例である。ＤＥＣＴ無線Ｉ／Ｆ部１０７及びＤＥＣＴプロトコル制御部１０８は、制御装置の第２の通信部の一例である。
【００４０】
固定電話回線Ｉ／Ｆ部１０１は、回線制御回路（ＮＣＵ：Ｎｅｔｗｏｒｋ  Ｃｏｎｔｒｏｌ  Ｕｎｉｔ）及びモデムを含む。ＮＣＵは、電話回線を制御し、例えば、固定電話網４０からの着呼を検出し、発呼時に固定電話網４０を捕捉接続する。モデムは、例えば、着呼時に固定電話網４０からの発信者番号情報等を受信する。固定電話回線Ｉ／Ｆ部１０１は、回線制御回路の構成によって、アナログ電話回線との接続に限定されず、デジタル電話回線（例えば、ＩＳＤＮ（Ｉｎｔｅｇｒａｔｅｄ  Ｓｅｒｖｉｃｅ  Ｄｉｇｉｔａｌ
Ｎｅｔｗｏｒｋ）回線、ＩＰ電話回線）に接続されてもよい。
【００４１】
記憶部１０３は、例えば、揮発性メモリ（ＲＡＭ：Ｒａｎｄｏｍ  Ａｃｃｅｓｓ  Ｍｅｍｏｒｙ）又は不揮発性メモリ（例えば、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍａｂｌｅ  ＲＯＭ））を含んで構成される。記憶部１０３は、例えば、各種プログラム、及び、各種情報（例えば、コードレス電話親機１００の動作条件を定める各種パラメータ、電話帳情報、発着信履歴情報）を記憶する。
【００４２】
音声入出力制御部１０４は、音声バスからのデジタル信号化された音声データをアナログ変換し、スピーカ１２９へ出力する制御を行う。音声入出力制御部１０４は、親機制御部１０９からの指示に応じて、例えば音量出力制御又は音質制御を行ってもよい。音声入出力制御部１０４は、マイクロホン１２８から取得したアナログ音声をデジタル音声に変換し、音声バスへ送る制御を行う。音声入出力制御部１０４は、例えば、マイクロホン１２８及びスピーカ１２９を用いてハンズフリー通話を行う場合に使用される。スピーカ１２９に出力される音声データには、通話音声以外に、例えば、着信音、音楽データが含まれてもよい。
【００４３】
操作部１０５は、例えば、ユーザが操作可能な複数のボタンを含み、操作入力を受け付ける。ボタンには、例えば、発信時のダイヤル入力に必要なダイヤルキー、監視システム１０００を操作するために必要なキー、が含まれる。監視システム１０００を操作するキーとは、例えば、後述する「警戒モード」のオンオフを切り替えるキー、本人確認のための暗証番号を入力するキー、を含む。
【００４４】
表示部１０６は、例えば、液晶ディスプレイと液晶ディスプレイのドライバとを含み、可視情報（例えば、文字、数字、記号）を表示可能な画面を有する。表示部１０６は、例えば、電話番号、通信先若しくは通信元の情報、操作案内情報、又は「警戒モード」のオンオフの情報を表示する。
【００４５】
ＤＥＣＴ無線Ｉ／Ｆ部１０７は、例えば、コードレス電話親機１００の子機との間において無線通信するためのＤＥＣＴ規格に適合する送受信回路を含む。コードレス電話親機１００の子機は、例えば、コードレス電話子機４００、開閉センサ３００、人感センサ３６０、煙センサ３７０、又はスマートプラグ３８０、を含む。ＤＥＣＴ無線Ｉ／Ｆ部１０７は、ＲＦ（Ｒａｄｉｏ  Ｆｒｅｑｕｅｎｃｙ）部（不図示）により、アンテナを介して無線信号を通信する。ＤＥＣＴ無線Ｉ／Ｆ部１０７は、例えば、各種センサからセンサ検知情報を受信する。
【００４６】
ＤＥＣＴプロトコル制御部１０８は、コードレス電話親機１００の子機との間でデータを通信するプロトコルスタック部を含み、ＤＥＣＴ規格のプロトコル方式に従ったプロトコル制御を行う。
【００４７】
親機制御部１０９は、例えば、マイクロコンピュータを主体とするハードウェアを含んで構成され、予め組み込まれたプログラムを実行することにより、親機制御部１０９が有する各種機能を実現する。親機制御部１０９は、コードレス電話親機１００の全体を制御する。
【００４８】
呼制御部１１０は、操作部１０５、固定電話回線Ｉ／Ｆ部１０１、又はＤＥＣＴプロトコル制御部１０８（各子機）から通知されたイベント又は各種メッセージを処理し、コードレス電話親機１００に発生した呼の状態管理、及び呼接続を行う。呼の状態管理は、例えば、発呼又は着呼の検知を含む。また、呼制御部１１０は、例えば、着信音の出力又は停止の制御を行う。
【００４９】
音声ストリーム処理部１１２は、音声ストリーム通信のための接続手順制御を行い、送出された音声ストリームデータをスピーカ１２９に出力する。音声ストリーム処理部１１２は、例えば、コードレス電話親機１００の子機から送出される音声ストリームデータをＤＥＣＴプロトコル制御部１０８から音声入出力制御部１０４へ伝送するための音声パスを形成する。音声ストリーム処理部１１２は、例えば、監視カメラ２００から送出される音声ストリームデータを無線ＬＡＮ制御部１２１から音声入出力制御部１０４へ伝送するための音声パスを形成する。
【００５０】
音声ストリーム処理部１１２は、ＤＥＣＴプロトコル制御部１０８から音声入出力制御部１０４への音声パスを形成する場合、音声ストリーム処理部１１２は、ストリームデータをバッファしてもよい。音声ストリーム処理部１１２は、無線ＬＡＮ制御部１２１から音声入出力制御部１０４への音声パスを形成する場合、ストリームデータをバッファしてもよい。
【００５１】
監視機能制御部１１３は、監視システム１０００による監視に係る各種制御を行う。監視機能制御部１１３は、例えば、監視システム１０００のセキュリティ設定を行う。セキュリティ設定は、警戒モードの設定（オン（ＯＮ）又はオフ（ＯＦＦ））を含む。警戒モードがオンの状態は、監視システム１０００による警戒が必要なモードであり、警戒状態の一例である。警戒モードがオフの状態は、監視システム１０００による警戒が不要なモードであり、警戒解除状態の一例である。警戒モードは、例えば各種センサによるセンサ検知情報に応じて設定されてもよいし、ユーザ操作により設定されてもよいし、公知の方法により設定されてもよい。セキュリティ設定の情報は、例えば監視機能制御部１１３の内部メモリに保持される。従って、監視機能制御部１１３は、警戒モードを指定する経過モード指定部としての機能を有する。
【００５２】
監視機能制御部１１３は、例えば、警戒モードであり、監視対象の領域（例えば宅内１０）において異常状態が所定時間以上継続した場合、警報を出力させる。警報の出力は、例えば、表示、音声出力、又は振動により行われる。
【００５３】
異常状態は、各種センサが異常を示す状態である。例えば、センサが開閉センサ３００である場合、異常状態は、開状態を含む。例えば、センサが人感センサ３６０である場合、異常状態は、人が検知された状態を含む。例えば、センサが煙センサ３７０である場合、異常状態は、煙が検知された状態を含む。例えば、センサがスマートプラグ３８０である場合、異常状態は、宅内１０の使用電力量が所定量以上である状態を含む。
【００５４】
監視機能制御部１１３は、例えば、スマートフォン５００が宅内１０の無線ＬＡＮの通信圏内に位置するか否かに応じて、警報出力時間の長さを制御する。警報出力時間は、例えば、各種センサにより異常が検知されてから監視システム１０００による警報が出力されるまでの時間である。従って、監視機能制御部１１３は、時間制御部としての機能を有する。
【００５５】
画像メモリ１１５は、例えば、比較的記憶容量の大きい不揮発性メモリを含んで構成され、監視カメラ２００により得られる画像データを保存する。画像メモリ制御部１１４は、例えば、監視機能制御部１１３の指示に従って、無線ＬＡＮ制御部１２１から出力される画像データを画像メモリ１１５に書き込み、保存する制御を行う。
【００５６】
無線ＬＡＮ制御部１２１及び無線ＬＡＮ通信Ｉ／Ｆ部１２２は、ＩＥＥＥ８０２．１１、即ち無線ＬＡＮの規格に従って、外部の無線ＬＡＮ機器と接続し、外部の無線ＬＡＮ機器との間でデータ通信する。
【００５７】
留守番電話制御部１２５は、例えば、留守番電話メッセージを記憶し、メッセージの録音及び再生を制御する。
【００５８】
子機／携帯端末充電部１２６は、例えば、コードレス電話子機４００、開閉センサ３００、スマートフォン５００、又はその他の携帯端末に搭載された充電池を充電する。子機／携帯端末充電部１２６は、充電対象の端末を載置するドッキング部と充電端子とを備えて充電してもよい。子機／携帯端末充電部１２６は、例えば、ワイヤレス給電の標準規格であるＱｉ（チー）規格に対応した充電部として、ワイヤレス給電しても良い。
【００５９】
ＵＳＢ通信Ｉ／Ｆ部１２７は、ＵＳＢ規格に対応した各種機器をコードレス電話親機１００に接続する通信インタフェースである。ＵＳＢ通信Ｉ／Ｆ部１２７は、例えば、コードレス電話子機４００又はスマートフォン５００へ給電する給電部として動作してもよい。
【００６０】
次に、監視カメラ２００の構成例について説明する。
図３は、監視カメラ２００の構成例を示すブロック図である。
【００６１】
監視カメラ２００は、撮像部２０１、赤外線センサ２０２、記憶部２０３、音声入出力制御部２０４、操作部２０５、制御部２０９、画像メモリ制御部２１１、及び画像メモリ２１２を備える。監視カメラ２００は、無線ＬＡＮ制御部２２１、無線ＬＡＮ通信Ｉ／Ｆ部２２２、マイクロホン（ＭＩＣ）２２８、スピーカ（ＳＰＫ）２２９、及び電源部２３０を備える。
【００６２】
撮像部２０１は、撮像デバイス（例えばＣＣＤ（Ｃｈａｒｇｅ  Ｃｏｕｐｌｅｄ  Ｄｅｖｉｃｅ）イメージセンサ、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ）を含んで構成される。撮像部２０１は、例えば、監視対象の領域（例えば宅内１０又は宅外）を撮像する。撮像部２０１により撮像された画像は、動画像又は静止画像の画像データとして出力される。
【００６３】
赤外線センサ２０２は、監視対象の領域又はその近傍において、赤外線を発する物体（例えば人物）の有無を検出する。
【００６４】
記憶部２０３は、例えば、揮発性メモリ（ＲＡＭ）又は不揮発性メモリ（ＲＯＭ／ＥＰＲＯＭ等）を含んで構成される。記憶部２０３は、例えば、各種プログラム、監視カメラ２００の動作条件を定める各種パラメータを記憶する。
【００６５】
音声入出力制御部２０４は、音声バスからのデジタル信号化された音声データをアナログ変換し、スピーカ２２９へ出力する制御を行う。音声入出力制御部２０４は、更に、親機制御部１０９からの指示に応じて、音量出力制御又は音質制御を行ってもよい。音声入出力制御部２０４は、マイクロホン２２８から取得したアナログ音声をデジタル音声に変換し、音声バスへ送る制御を行う。音声入出力制御部２０４は、例えば、監視対象の領域又はその近傍で発生した異音等を、マイクロホン２２８から取得し、監視用の音声データを生成する。音声入出力制御部２０４は、例えば、侵入者に対して警告の音声メッセージをスピーカ２２９により出力させる。
【００６６】
操作部２０５は、ユーザが操作可能な複数のボタンを含み、操作入力を受け付ける。例えば、操作部２０５を操作することにより、監視カメラ２００の動作モードを切り替え、撮像部２０１の撮像周期、撮像感度、マイクロホン２２８の感度、スピーカ２２９の音量の調整を指示する。
【００６７】
制御部２０９は、例えば、マイクロコンピュータを主体とするハードウェアを含んで構成され、予め組み込まれたプログラムを実行することにより、制御部２０９が有する各種機能を実現する。制御部２０９は、監視カメラ２００の全体を制御する。
【００６８】
例えば、制御部２０９は、撮像部２０１により得られた画像データ及びマイクロホン２２８により得られた音声データを、無線ＬＡＮを経由してコードレス電話親機１００に送信するよう制御する。画像データは、監視カメラ２００内部の画像メモリ２１２に蓄積されてもよい。制御部２０９は、必要に応じて、音声メッセージをスピーカ２２９から出力させてもよい。
【００６９】
画像メモリ２１２は、例えば、比較的記憶容量の大きい不揮発性メモリを含んで構成され、撮像部２０１により得られる画像データを保存する。画像メモリ制御部２１１は、例えば、制御部２０９の指示に従って、撮像部２０１から出力される画像データを画像メモリ２１２に書き込み、保存する制御を行う。
【００７０】
無線ＬＡＮ制御部２２１、無線ＬＡＮ通信Ｉ／Ｆ部２２２は、ＩＥＥＥ８０２．１１、即ち無線ＬＡＮの規格に従って、外部の無線ＬＡＮ機器と接続し、外部の無線ＬＡＮ機器との間でデータ通信する。
【００７１】
電源部２３０は、監視カメラ２００内の各部に電源電力を供給する。
【００７２】
次に、開閉センサ３００の構成例について説明する。
図４は、開閉センサ３００の構成例を示すブロック図である。
【００７３】
開閉センサ３００は、リードスイッチ３４１、記憶部３４２、表示ランプ３４５、制御部３４７、ＤＥＣＴ無線Ｉ／Ｆ部３４８、ＤＥＣＴプロトコル制御部３４９、及び充電池３５０を備える。ＤＥＣＴ無線Ｉ／Ｆ部３４８及びＤＥＣＴプロトコル制御部３４９は、センサの送信部の一例である。リードスイッチ３４１は、検知部の一例である。
【００７４】
リードスイッチ３４１は、例えば、開口部（例えば窓）を開閉する可動部に設置された永久磁石（不図示）の移動範囲と隣接する位置に、固定される。リードスイッチ３４１は、開口部の開閉状態に応じて電気接点がオンオフし、開閉を検知する。
【００７５】
記憶部３４２は、例えば揮発性メモリ（ＲＡＭ）又は不揮発性メモリ（ＲＯＭ／ＥＰＲＯＭ等）を含んで構成される。記憶部３４２は、例えば、各種プログラム、開閉センサ３００の動作条件を定める各種パラメータ、を記憶する。
【００７６】
表示ランプ３４５は、制御部３４７の指示に従って、例えば、点灯、消灯、又は点滅状態になる。表示ランプ３４５は、例えば、リードスイッチ３４１のオンオフ状態又は開閉センサ３００の通信状態を、表示により報知する。
【００７７】
制御部３４７は、例えば、マイクロコンピュータを主体とするハードウェアを含んで構成され、予め組み込まれたプログラムを実行することにより、開閉センサ３００が有する各種機能を実現する。制御部３４７は、開閉センサ３００の全体を制御する。
【００７８】
ＤＥＣＴ無線Ｉ／Ｆ部３４８は、コードレス電話親機１００との間で無線通信するためのＤＥＣＴ規格に適合する送受信回路を含む。ＤＥＣＴ無線Ｉ／Ｆ部３４８は、ＲＦ部（不図示）により、アンテナを介して無線信号を通信する。
【００７９】
ＤＥＣＴプロトコル制御部３４９は、コードレス電話親機１００との間でデータを通信するプロトコルスタック部を含み、ＤＥＣＴ規格のプロトコル方式に従ったプロトコル制御を行う。
【００８０】
充電池３５０は、開閉センサ３００内の各部に電源電力を供給する。
【００８１】
従って、開閉センサ３００は、リードスイッチ３４１のオンオフを表す情報、つまり開閉センサ３００による検知情報を、ＤＥＣＴ通信によりコードレス電話親機１００へ送信できる。なお、図示しないが、人感センサ３６０及び煙センサ３７０も、開閉センサ３００と同様に、検知情報をＤＥＣＴ通信によりコードレス電話親機１００へ送信できる。
【００８２】
次に、コードレス電話子機４００の構成例について説明する。
図５は、コードレス電話子機４００の構成例を示すブロック図である。
【００８３】
コードレス電話子機４００は、記憶部４４２、音声入出力制御部４４３、操作部４４４、表示部４４５、制御部４４７、ＤＥＣＴ無線Ｉ／Ｆ部４４８、ＤＥＣＴプロトコル制御部４４９、２次電池４５０、マイクロホン（ＭＩＣ）４５１、及びスピーカ（ＳＰＫ）４５２を備える。
【００８４】
記憶部４４２は、例えば、揮発性メモリ（ＲＡＭ）又は不揮発性メモリ（ＲＯＭ／ＥＰＲＯＭ等）を含んで構成される。記憶部４４２は、各種プログラム、各種情報（例えば、コードレス電話子機４００の動作条件を定める各種パラメータ、電話帳情報、発着信履歴情報）を記憶する。
【００８５】
音声入出力制御部４４３は、音声バスからのデジタル信号化された音声データをアナログ変換し、スピーカ４５２へ出力する制御を行う。音声入出力制御部４４３は、制御部４４７からの指示に応じて、例えば音量出力制御又は音質制御を行ってもよい。音声入出力制御部４４３は、マイクロホン４５１から取得したアナログ音声をデジタル音声に変換し、音声バスへ送る制御を行う。音声入出力制御部４４３は、例えば、マイクロホン４５１及びスピーカ４５２を用いて、ハンズフリー通話を行う場合に使用される。スピーカ４５２に出力される音声データには、通話音声以外に、例えば、着信音、音楽データが含まれてもよい。
【００８６】
操作部４４４は、例えば、ユーザが操作可能な複数のボタンを含み、操作入力を受け付ける。ボタンには、例えば発信時のダイヤル入力に必要なダイヤルキー、音声通話の操作に必要な各種キーが含まれる。
【００８７】
表示部４４５は、例えば、液晶ディスプレイと液晶ディスプレイのドライバを含み、可視情報（例えば、文字、数字、記号）を表示可能な画面を有する。表示部４４５は、例えば、電話番号、通信先若しくは通信元の情報、又は操作案内情報を表示する。
【００８８】
制御部４４７は、例えば、マイクロコンピュータを主体とするハードウェアを含んで構成され、予め組み込まれたプログラムを実行することにより、コードレス電話子機４００が有する各種機能を実現する。制御部４４７は、コードレス電話子機４００の全体を制御する。
【００８９】
ＤＥＣＴ無線Ｉ／Ｆ部４４８は、コードレス電話親機１００との間で無線通信するためのＤＥＣＴ規格に適合する送受信回路を含む。ＤＥＣＴ無線Ｉ／Ｆ部４４８は、ＲＦ部（不図示）により、アンテナを介して無線信号を通信する。
【００９０】
ＤＥＣＴプロトコル制御部４４９は、コードレス電話親機１００との間でデータを通信するプロトコルスタック部を含み、ＤＥＣＴ規格のプロトコル方式に従ったプロトコル制御を行う。
【００９１】
２次電池４５０は、コードレス電話子機４００内の各部に電源電力を供給する。
【００９２】
次に、スマートフォン５００の構成例について説明する。
図６は、スマートフォン５００の構成例を示すブロック図である。
【００９３】
スマートフォン５００は、３Ｇ無線Ｉ／Ｆ部５０１、３Ｇプロトコル制御部５０２、表示／操作部５０３、記憶部５０４、音声入出力制御部５０５、制御部５０６、無線ＬＡＮ制御部５０７、無線ＬＡＮ通信Ｉ／Ｆ部５０８、ＵＳＢ通信Ｉ／Ｆ部５１１、マイクロホン（ＭＩＣ）５１２、及びスピーカ（ＳＰＫ）５１３を備える。無線ＬＡＮ制御部５０７及び無線ＬＡＮ通信Ｉ／Ｆ部５０８は、携帯端末の通信部の一例である。
【００９４】
制御部５０６は、監視機能制御部５１４を備える。監視機能制御部５１４は、例えば、監視システム１０００のセキュリティ設定（警戒モードの設定を含む）を遠隔制御する。例えば、表示／操作部５０３により警戒モードをオンする指示の入力を受け付けた場合、警戒モードをオンするための指示情報を、コードレス電話親機１００へ送信するよう制御する。例えば、表示／操作部５０３により警戒モードをオフする指示の入力を受け付けた場合、警戒モードをオフするための指示情報を、コードレス電話親機１００へ送信するよう制御する。
【００９５】
３Ｇ無線Ｉ／Ｆ部５０１は、例えば、国際電気通信連合（ＩＴＵ：Ｉｎｔｅｒｎａｔｉｏｎａｌ  Ｔｅｌｅｃｏｍｍｕｎｉｃａｔｉｏｎ  Ｕｎｉｏｎ）が定める「ＩＭＴ−２０００」（Ｉｎｔｅｒｎａｔｉｏｎａｌ  Ｍｏｂｉｌｅ  Ｔｅｌｅｃｏｍｍｕｎｉｃａｔｉｏｎ  ２０００）規格に準拠した無線通信を行うために必要な送受信回路を含む。
【００９６】
３Ｇプロトコル制御部５０２は、「ＩＭＴ−２０００」に対応した携帯電話網５０を経由して、相手端末との間でデータを通信するプロトコルスタック部を含み、「ＩＭＴ−２０００」のプロトコル方式に従ったプロトコル制御を行う。
【００９７】
表示／操作部５０３は、例えば、液晶ディスプレイと、液晶ディスプレイの画面に重ねて配置された透明なタッチパネルと、を含む。液晶ディスプレイの画面には、例えば、可視情報（例えば、文字、数字、記号、画像）が表示される。タッチパネルの各領域には、例えば、液晶ディスプレイの画面表示内容に合わせて、多数のボタンが割り当てられる。
【００９８】
表示／操作部５０３は、例えば、ダイヤル入力に必要なダイヤルキー、音声通話の操作に必要な各種キー、を表示する。各キーと一致する位置のタッチパネルの各領域には、該当するキー入力を受け付けるための領域が割り当てられる。表示／操作部５０３は、タッチパネルの各領域への入力を受け付ける。
【００９９】
表示／操作部５０３は、スマートフォン５００と監視システム１０００とが連携する場合、例えば、監視システム１０００の監視カメラ２００により撮像された画像を表示してもよい。表示／操作部５０３は、スマートフォン５００と監視システム１０００とが連携する場合、例えば、監視システム１０００を操作するために必要なキーへの入力を受け付けてもよい。監視システム１０００を操作するためのキーには、例えば、モニタ指示用のキー、「Ｓｐｅａｋｅｒ」キー、及び「Ｍｕｔｅ」キー（図７参照）が含まれる。モニタ指示とは、例えば、監視対象の画像の送信要求を含む。
【０１００】
記憶部５０４は、例えば、揮発性メモリ（ＲＡＭ）と不揮発性メモリ（ＲＯＭ／ＥＰＲＯＭ等）とを含んで構成される。記憶部５０４は、例えば、各種プログラム、各種情報（例えば、スマートフォン５００の動作条件を定める各種パラメータ、電話帳情報、発着信履歴情報）、を記憶する。
【０１０１】
音声入出力制御部５０５は、音声バスからのデジタル信号化された音声データをアナログ変換し、スピーカ５１３へ出力する制御を行う。音声入出力制御部５０５は、制御部５０６からの指示に応じて、例えば音量出力制御又は音質制御を行ってもよい。音声入出力制御部５０５は、マイクロホン５１２から取得したアナログ音声をデジタル音声に変換し、音声バスへ送る制御を行う。音声入出力制御部５０５は、マイクロホン５１２及びスピーカ５１３を用いてハンズフリー通話を行う場合に使用される。スピーカ５１３に出力される音声信号には、通話音声以外に、例えば、着信音、音楽データ、監視システム１０００が収集した音声データが含まれてもよい。
【０１０２】
制御部５０６は、例えば、マイクロコンピュータを主体とするハードウェアを含んで構成され、予め組み込まれたプログラムを実行することにより、スマートフォン５００が有する各種機能を実現する。制御部５０６は、スマートフォン５００の全体を制御する。
【０１０３】
制御部５０６の監視機能制御部５１４は、監視システム１０００と連携するための部位であり、例えば監視システム１０００用のアプリケーションプログラムを実行する。監視機能制御部５１４は、例えば、後述する図７に示す動作に必要な制御、後述する図１１に示す制御を行う。これらの制御の詳細については後述する。
【０１０４】
無線ＬＡＮ制御部５０７、無線ＬＡＮ通信Ｉ／Ｆ部５０８は、ＩＥＥＥ８０２．１１、即ち無線ＬＡＮの規格に従って、外部の無線ＬＡＮ機器と接続し、外部の無線ＬＡＮ機器との間でデータ通信する。
【０１０５】
ＵＳＢ通信Ｉ／Ｆ部５１１は、ＵＳＢ規格に対応した各種機器（例えばコードレス電話親機１００）をスマートフォン５００に接続する通信インタフェースである。ＵＳＢ通信Ｉ／Ｆ部５１１は、例えば、コードレス電話親機１００からスマートフォン５００へ給電する給電部として動作してもよい。
【０１０６】
次に、監視システム１０００の動作例について説明する。
【０１０７】
図７は、コードレス電話親機１００とスマートフォン５００とが連携する場合の基本的な動作例を示すシーケンス図である。
【０１０８】
開閉センサ３００では、定期的に、又はリードスイッチ３４１の検知状態が変化した場合、ＤＥＣＴプロトコル制御部３４９が、検知状態（開状態又は閉状態）を表すセンサ検知情報を、コードレス電話親機１００に送信するよう制御する（Ｓ１０１）。
【０１０９】
なお、本実施形態では、送信するよう制御することが、単に送信するとも記載される。受信するよう制御することが、単に受信するとも記載される。
【０１１０】
図１のように、スマートフォン５００が宅内１０にあり、無線ルータ８０の形成する宅内１０の無線ＬＡＮ（ＩＥＥＥ８０２．１１）の通信圏内（例えばＷｉｆｉ（登録商標）圏内）にあるとする。この状態で、コードレス電話親機１００がセンサ検知情報を受信した場合、スマートフォン５００の無線ＬＡＮ制御部５０７とコードレス電話親機１００の無線ＬＡＮ制御部１２１とが、無線接続（Ｗｉｆｉ（登録商標）接続、８０２．１１接続ともいう）するよう制御する（Ｓ１０２）。
【０１１１】
つまり、無線ＬＡＮ及び無線ルータ８０を経由して、スマートフォン５００とコードレス電話親機１００とが接続される。
【０１１２】
コードレス電話親機１００の無線ＬＡＮ制御部１２１は、開閉センサ３００からのセンサ検知情報を、無線ＬＡＮ通信（例えばＷｉｆｉ（登録商標）通信によりスマートフォン５００に送信する（Ｓ１０３）。この場合、無線ＬＡＮ制御部１２１は、例えば、事前にコードレス電話親機１００に登録された特定のユーザのスマートフォン５００であることが認証された場合に、センサ検知情報を送信するよう制御してもよい。
【０１１３】
スマートフォン５００では、無線ＬＡＮ制御部５０７によりコードレス電話親機１００からのセンサ検知情報を受信した後、表示／操作部５０３が、例えば、スマートフォン５００のユーザからのモニタ指示を受け付ける（Ｓ１０４）。
【０１１４】
モニタ指示を受け付けると、スマートフォン５００の無線ＬＡＮ制御部５０７は、監視カメラ２００との間での無線接続を開始する。つまり、スマートフォン５００の無線ＬＡＮ制御部５０７と監視カメラ２００の無線ＬＡＮ制御部２２１とが、無線接続するよう制御する（Ｓ１０５）。
【０１１５】
スマートフォン５００と監視カメラ２００とが無線接続されると、監視カメラ２００の無線ＬＡＮ制御部２２１は、撮像部２０１により撮像された画像や音声を含む画像ストリームデータｉ１０６を、無線ＬＡＮ経由で、コードレス電話親機１００に送信する（Ｓ１０６）。
【０１１６】
コードレス電話親機１００の無線ＬＡＮ制御部１２１は、監視カメラ２００からの画像ストリームデータを、無線ＬＡＮ経由で、スマートフォン５００に送信する（Ｓ１０７）。コードレス電話親機１００の画像メモリ制御部１１４は、画像メモリに、監視カメラ２００からの画像ストリームデータを記録（録画）してもよい。
【０１１７】
スマートフォン５００では、無線ＬＡＮ制御部５０７がコードレス電話親機１００からの画像ストリームデータを受信する。すると、例えば、表示／操作部５０３が、画像ストリームデータに含まれる画像を表示し、又は、音声入出力制御部５０５が、画像ストリームデータに含まれる音声を、スピーカ５１３を介して出力できる。従って、ユーザは、スマートフォン５００を用いて、監視システム１０００が監視する画像又は音声をモニタできる。この場合、例えば、ユーザは、窓の開閉状態を確認し、侵入者の有無を推定できる。
【０１１８】
表示／操作部５０３は、画像や音声を監視中のユーザから、監視システム１０００の遠隔操作を受け付けてもよい。例えば、表示／操作部５０３が「Ｓｐｅａｋｅｒ」キーの操作（例えばタップ操作）を受け付けた場合（Ｓ１０８）、無線ＬＡＮ制御部５０７が「Ｓｐｅａｋｅｒ」キーに対応する操作情報を、コードレス電話親機１００へ送信する（Ｓ１０９）。
【０１１９】
コードレス電話親機１００では、無線ＬＡＮ制御部１２１は、スマートフォン５００からの「Ｓｐｅａｋｅｒ」キーに対応する操作情報を受信すると、監視機能制御部１１３は、所定の制御を実行する。この所定の制御には、例えば、親機固定回線接続が含まれる。
【０１２０】
スマートフォン５００では、例えば、表示／操作部５０３が「Ｍｕｔｅ」キーの操作（例えばタップ操作）を受け付けた場合（Ｓ１１０）、無線ＬＡＮ制御部５０７が「Ｍｕｔｅ」キーに対応する操作情報を、コードレス電話親機１００へ送信する（Ｓ１１１）。
【０１２１】
コードレス電話親機１００では、無線ＬＡＮ制御部１２１は、スマートフォン５００からの「Ｍｕｔｅ」キーに対応する操作情報を受信すると、監視機能制御部１１３は、所定の制御を実行する。この所定の制御には、例えば送話の消音が含まれる。
【０１２２】
次に、コードレス電話親機１００によるセキュリティ制御について説明する。
【０１２３】
図８は、コードレス電話親機１００によるセキュリティ制御の一例を示すフローチャートである。例えば、監視システム１０００のセキュリティ制御のために、例えば、コードレス電話親機１００の監視機能制御部１１３がセキュリティ制御を実行する。
【０１２４】
監視機能制御部１１３は、監視システム１０００の現在のセキュリティ設定状態について、警戒モードの設定状態（オンオフの状態）を識別する（Ｓ１１）。監視システム１０００では、例えば、ユーザが宅内１０に居る場合（在宅中）には、「警戒モード」がオフに設定され、ユーザが外出して宅内１０が留守になる場合、警戒モードがオンに設定される。
【０１２５】
警戒モードがオンである場合、監視機能制御部１１３は、スマートフォン５００が宅内１０の無線ＬＡＮの通信圏外から通信圏内に移動したか否かを識別する（Ｓ１２）。言い換えると、監視機能制御部１１３は、例えば、コードレス電話親機１００が、宅内１０の無線ＬＡＮを経由して、スマートフォン５００との間で無線通信が不可能な状態から可能な状態に変化したかを識別する。
【０１２６】
スマートフォン５００が宅内１０の無線ＬＡＮの通信圏外から通信圏内に移動したと識別された場合、監視機能制御部１１３は、監視システム１０００のセキュリティ設定を変更する（Ｓ１３）。この場合、監視機能制御部１１３は、警戒モードをオンからオフに切り替える。
【０１２７】
Ｓ１３では、例えば以下の状況が想定される。コードレス電話親機１００が、スマートフォン５００が宅内１０の無線ＬＡＮの通信圏内に移動したことを認識したので、スマートフォン５００のユーザが在宅中と推測される。従って、少なくとも一時的には警戒モードをオフ（解除）してもセキュリティが低下しない可能性が高い。警戒モードが解除されることで、スマートフォン５００のユーザが在宅中に侵入者と誤認され、監視システム１０００の警報が発生することを防止できる。
【０１２８】
Ｓ１１において警戒モードがオンである場合、監視機能制御部１１３は、スマートフォン５００が宅内１０の無線ＬＡＮの通信圏内から通信圏外に移動したか否かを識別する（Ｓ１４）。言い換えると、監視機能制御部１１３は、例えば、コードレス電話親機１００が、宅内１０の無線ＬＡＮを経由して、スマートフォン５００との間で無線通信が可能な状態から不可能な状態に変化したかを識別する。
【０１２９】
スマートフォン５００が宅内１０の無線ＬＡＮの通信圏内から通信圏外に移動したと識別された場合、監視機能制御部１１３は、監視システム１０００のセキュリティ設定を変更する（Ｓ１５）。この場合、監視機能制御部１１３は、「警戒モード」をオフからオンに切り替える。これにより、監視システム１０００による警戒が開始される。
【０１３０】
Ｓ１５では、例えば以下の状況が想定される。コードレス電話親機１００が、スマートフォン５００が宅内１０の無線ＬＡＮの通信圏外（例えば宅外）に移動したことを認識したので、スマートフォン５００のユーザが外出中と推測される。従って、宅内１０のセキュリティを確保するために、監視システム１０００が警戒を開始する必要性が高いと考えられる。警戒モードが開始されることにより、スマートフォン５００のユーザが外出する場合に、警戒モードをオンにするための操作が不要になり、ユーザの利便性が向上する。また、ユーザが警戒モードをオンにするための操作をせずに外出した場合でも、ユーザが宅内１０に戻ることなく、セキュリティを確保できる。
【０１３１】
Ｓ１３又はＳ１５の処理後、監視機能制御部１１３は、警報出力制御を実行してもよい（Ｓα）。警報出力制御の詳細については後述する。なお、警報出力制御は省略されてもよい。
【０１３２】
図８の処理によれば、スマートフォン５００が存在すると推測される位置に応じて、監視システム１０００の警戒モードを設定できる。例えば、スマートフォン５００のユーザが外出する場合、スマートフォン５００が無線ＬＡＮの通信圏外となることで、警戒モードがオンに切り替わる。例えば、ユーザが帰宅した場合、スマートフォン５００が無線ＬＡＮの通信圏内となることで、警戒モードがオフに切り替わる。従って、監視対象の領域のセキュリティの低下を抑制し、警戒モードの設定に係るユーザの利便性を向上できる。
【０１３３】
図１３は、監視システム１０００における無線ＬＡＮの通信圏とコードレス電話親機１００とスマートフォン５００との位置関係の具体例を示す模式図である。
【０１３４】
スマートフォン５００が宅内１０の無線ＬＡＮの通信圏外から通信圏内に移動すると、監視システム１０００の警戒モードが解除される（警戒モードＯＦＦ）。スマートフォン５００が宅内１０の無線ＬＡＮの通信圏内から通信圏外に移動すると、監視システム１０００の警戒モードが開始される（警戒モードＯＮ）。
【０１３５】
次に、コードレス電話親機１００による警報出力制御について説明する。
図９は、コードレス電話親機１００による警報出力制御の第１例を示すフローチャートである。なお、図９の処理は、図８の処理とは別に単独で行われてもよい。
【０１３６】
まず、監視機能制御部１１３は、開閉センサ３００からのセンサ検知情報を参照し、例えば窓の開閉状態を識別する（Ｓ２１）。
【０１３７】
例えば窓が開状態である場合、監視機能制御部１１３は、監視機能制御部１１３の内部メモリを参照し、設定されている警戒モードを識別する（Ｓ２２）。
【０１３８】
警戒モードがオンである場合、監視機能制御部１１３は、親機制御部１０９のマイクロコンピュータ等に内蔵されたタイマＴの計時を開始する（Ｓ２３）。つまり、タイマＴは、開閉センサ３００が開状態を検出してからの経過時間を計測する。
【０１３９】
監視機能制御部１１３は、例えば定期的に取得されるセンサ検知情報を参照し、開状態が継続しているか否かを識別する（Ｓ２４）。
【０１４０】
開状態が継続している場合、監視機能制御部１１３は、警戒モードのオン状態が継続しているか否かを識別する（Ｓ２５）。
【０１４１】
Ｓ２４において開状態が継続している場合、又は、Ｓ２５において警戒モードのオン状態が継続している場合、監視機能制御部１１３は、タイマＴをリセットする（Ｓ２６）。
【０１４２】
警戒モードのオン状態が継続している場合、監視機能制御部１１３は、タイマＴの計数値が所定の閾値Ｔ１以上（Ｔ≧Ｔ１）であるか否かを識別する（Ｓ２７）。閾値Ｔ１は、例えば、１０秒である。タイマＴの計数値が所定の閾値Ｔ１以上でない場合、Ｓ２４に進む。閾値Ｔ１は、第１の時間の一例である。
【０１４３】
タイマＴの計数値が所定の閾値Ｔ１以上である場合、監視機能制御部１１３は、所定の警報出力処理を実行する（Ｓ２８）。この場合、監視機能制御部１１３は、例えば、スピーカ１２９を用いて警報音を鳴動させてもよい。監視機能制御部１１３は、例えば、表示部１０６に用いて警報画像を表示させてもよい。監視機能制御部１１３は、例えば、監視カメラ２００からの画像ストリームデータを重要性の高いデータとして保存させてもよい。監視機能制御部１１３は、例えば、スマートフォン５００に対して電子メール等により異常の発生を通知してもよい。従って、例えば、無線ＬＡＮ制御部１２１、無線ＬＡＮ通信Ｉ／Ｆ部１２２、スピーカ１２９、表示部１０６は、警報出力部の一例である。
【０１４４】
図９の処理によれば、コードレス電話親機１００は、警戒モードがオンの状態で、開閉センサ３００により開状態が検出されてから所定時間Ｔ１を経過した場合、警報出力する。従って、所定の閾値Ｔ１が比較的短くした場合でも、スマートフォン５００のユーザの帰宅時に、ユーザが慌てて「警戒モード」の解除操作をしなくても、監視システム１０００の警報が鳴鳴動されない。また、ユーザが外出する際に監視システム１０００のセキュリティ設定の操作を忘れた場合でも、警戒モードをオンに切り替えできる。
【０１４５】
図１０は、コードレス電話親機１００による警報出力制御の第２例を示すフローチャートである。図１０において、図９に示したステップと同様のステップについては、同一のステップ番号を付し、説明を省略又は簡略化する。なお、図１０の処理は、図８の処理とは別に単独で行われてもよい。
【０１４６】
まず、監視機能制御部１１３は、Ｓ２１〜Ｓ２６の処理を実行する。
【０１４７】
Ｓ２５において、警戒モードのオン状態が継続している場合、監視機能制御部１１３は、スマートフォン５００が宅内１０の無線ＬＡＮの通信圏外に存在するか否かを識別する（Ｓ３１）。
【０１４８】
スマートフォン５００が宅内１０の無線ＬＡＮの通信圏内に存在する場合、監視機能制御部１１３は、Ｓ２７の処理を実行する。
【０１４９】
スマートフォン５００が宅内１０の無線ＬＡＮの通信圏外に存在する場合、監視機能制御部１１３は、監視機能制御部１１３は、タイマＴの計数値が所定の閾値Ｔ２以上（Ｔ≧Ｔ２）であるか否かを識別する（Ｓ２７）。閾値Ｔ１は、例えば、３０秒である。タイマＴの計数値が所定の閾値Ｔ２以上でない場合、Ｓ２４に進む。閾値Ｔ２は、第２の時間の一例である。
【０１５０】
図１０の処理によれば、コードレス電話親機１００は、警戒モードがオンの状態で、スマートフォン５００が無線ＬＡＮ通信圏外に位置する場合、開閉センサ３００により開状態が検出されてから所定時間Ｔ１を経過した場合、警報出力する。また、コードレス電話親機１００は、スマートフォン５００が無線ＬＡＮ通信圏内に位置する場合、開閉センサ３００により開状態が検出されてから所定時間Ｔ２を経過した場合、警報出力する。つまり、警報を出力するまでの警戒出力時間の長さが、スマートフォン５００が無線ＬＡＮ通信の通信圏内に位置するか通信圏外に位置するかに応じて、切り替わる。
【０１５１】
これにより、仮に、ユーザが警戒モードをオフにし忘れても、ユーザが帰宅した場合、スマートフォン５００による無線ＬＡＮ通信の成功に応じて、警報出力時間が長くなるよう変更される。そのため、監視システム１０００により帰宅直後に警報が鳴動されることを抑制でき、ユーザは、手動操作で解除するまでに時間的な余裕を持てる。また、ユーザが外出中には、警報出力時間が短くされるので、侵入者の検知性能の低下を抑制できる。従って、ユーザの動向に応じて、警報出力時間を調整でき、宅内１０のセキュリティの低下を抑制して、ユーザの利便性を向上できる。
【０１５２】
なお、監視システム１０００の警戒モードは、手動操作によりオフ（解除）されてもよい。警戒モードを手動解除する方法としては、例えば、コードレス電話親機１００のテンキーを用いて、事前に登録された暗証番号を入力することが考えられる。
【０１５３】
次に、スマートフォン５００の動作例について説明する。
図１１は、スマートフォン５００の動作例を示すフローチャートである。スマートフォン５００は、例えば、監視システム１０００と連携する場合に図１１の処理を実行する。
【０１５４】
監視機能制御部５１４は、無線ＬＡＮ制御部５０７、無線ＬＡＮ通信Ｉ／Ｆ部５０８、及び図１に示した宅内１０の無線ＬＡＮを経由して、コードレス電話親機１００との間で無線通信が不可能な状態から可能な状態に変化したか否かを識別する（Ｓ４１）。つまり、監視機能制御部５１４は、スマートフォン５００が宅内１０の無線ＬＡＮの通信圏外から通信圏内に移動したか否かを識別する。
【０１５５】
スマートフォン５００が宅内１０の無線ＬＡＮの通信圏外から通信圏内に移動した場合、監視機能制御部５１４は、無線ＬＡＮを経由して、コードレス電話親機１００から、監視システム１０００のセキュリティ設定の情報を取得する（Ｓ４２）。
【０１５６】
監視機能制御部５１４は、受信されたセキュリティ設定の情報を参照し、警戒モードがオンか否かを識別する（Ｓ４３）。Ｓ４３において警戒モードがオンである場合には、例えば、スマートフォン５００による遠隔操作により警戒モードがオンとされた場合を含む。
【０１５７】
警戒モードがオンである場合、監視機能制御部５１４は、監視システム１０００の警戒モードがオン状態である旨を含むアラーム（通知情報）をユーザに通知するよう制御する（Ｓ４４）。この場合、監視機能制御部５１４は、例えば、表示／操作部５０３に通知情報を表示させ、スピーカ５１３から通知音を出力させ、又は振動デバイスにより通知情報を示す振動を発生させる。従って、表示／操作部５０３、スピーカ５１３、又は振動デバイス（不図示）は、携帯端末の報知部の一例である。
【０１５８】
監視機能制御部５１４は、再度、宅内１０の無線ＬＡＮを経由して、コードレス電話親機１００から、監視システム１０００のセキュリティ設定の情報を取得する（Ｓ４５）。監視機能制御部５１４は、受信されたセキュリティ設定の情報を参照し、警戒モードがオフに変化したか否かを識別する（Ｓ４６）。
【０１５９】
警戒モードがオフに変化した場合、図８のＳ１３の処理に示したように、コードレス電話親機１００により、警戒モードがオンからオフに切り替えられる。警戒モードがオフに変化した場合、監視機能制御部５１４は、監視システム１０００の警戒モードが解除された旨（オフにされた旨）を含むアラーム（通知情報）をユーザに通知するよう制御する（Ｓ４７）。この場合、監視機能制御部５１４は、例えば、表示／操作部５０３に通知情報を表示させ、スピーカ５１３から通知音を出力させ、又は振動デバイスにより通知情報を示す振動を発生させる。
【０１６０】
図１１の処理によれば、ユーザは、監視システム１０００の警戒モードの設定状態を、スマートフォン５００を用いて確認できる。例えば、スマートフォン５００を所持したユーザが帰宅した場合、警戒モードがオンであることを認識できる。従って、例えば、ユーザが手動操作により、監視システム１０００の警戒モードを忘れずに解除でき、又は、警報が鳴動される前に手動操作で解除できる可能性を高くできる。例えば、スマートフォン５００を所持したユーザが帰宅した場合、ユーザがセキュリティ設定の手動操作をすることなく、警戒モードがオフにされ、警戒モードがオフにされたことを認識できる。
【０１６１】
なお、スマートフォン５００は、警戒モードの設定又は解除を遠隔制御してもよい。この場合、例えば、監視機能制御部５１４は、表示／操作部５０３により、警戒モードをオンにするユーザからの入力操作を受け付けたか否かを識別する。警戒モードをオンにする指示（警戒モードの開始指示）を受け付けた場合、監視機能制御部５１４は、例えばインターネット６０を経由して、コードレス電話親機１００との間で通信回線を接続し、警戒モードの開始命令をコードレス電話親機１００に送信する。監視機能制御部５１４は、インターネット６０の代わりに携帯電話網５０及び固定電話網４０を経由して、警戒モードの開始命令をコードレス電話親機１００に送信しても良い。同様に、監視機能制御部５１４は、警戒モードをオフにする（解除する）命令を送信してもよい。
【０１６２】
これにより、スマートフォン５００は、監視システム１０００を遠隔制御できる。つまり、ユーザは、宅外からスマートフォン５００を操作して、監視システム１０００の警戒モードを設定できる。従って、例えば、ユーザが監視システム１０００の警戒モードをオンとすることを忘れて外出した場合でも、スマートフォン５００からの遠隔操作で警戒モードをオンとし、警戒を開始できる。
【０１６３】
図１２は、コードレス電話親機１００による警報出力制御の第３例を示すフローチャートである。図１２において、図９又は図１０に示したステップと同様のステップについては、同一のステップ番号を付し、説明を省略又は簡略化する。なお、図１２の処理は、図８の処理とは別に単独で行われてもよい。
【０１６４】
監視機能制御部１１３は、監視システム１０００の警戒モードの設定状態を識別する（Ｓ５１）。
【０１６５】
警戒モードがオンの場合、監視機能制御部１１３は、警戒モードがオンにされたこと（警戒開始）が、スマートフォン５００の指示に起因するか否かを識別する（Ｓ５２）。例えば、スマートフォン５００から送信された警戒モードの開始命令により監視機能制御部１１３が警戒モードをオンに切り替えた場合、監視機能制御部１１３は、指示元がスマートフォン５００であると識別できる。監視機能制御部１１３は、警戒モードの切り替えの指示元の情報を内部メモリに保持し、適宜参照してもよい。
【０１６６】
警戒モードのオン状態がスマートフォン５００の指示に起因する場合、監視機能制御部１１３は、宅内１０の無線ＬＡＮを経由して、スマートフォン５００との間で無線通信が不可能かを識別する（Ｓ５３）。つまり、監視機能制御部１１３は、スマートフォン５００が宅内１０の無線ＬＡＮの通信圏外に位置するか否かを識別する。
【０１６７】
Ｓ５２において警戒モードのオン状態がスマートフォン５００の指示に起因しない場合、又は、Ｓ５３においてスマートフォン５００が宅内１０の無線ＬＡＮの通信圏外にある場合、監視機能制御部１１３は、開閉センサ３００からのセンサ検知情報を参照する。そして、監視機能制御部１１３は、センサ検知情報に応じて、開閉状態を識別する（Ｓ５４）。「開」であればＳ５５に進み、「閉」であればＳ５１に戻る。
【０１６８】
センサ検知情報が開状態を示す場合、監視機能制御部１１３は、タイマＴの計時を開始する（Ｓ５５）。
【０１６９】
Ｓ５５の処理が終了すると、監視機能制御部１１３は、Ｓ２４〜２８の処理を実行する。ただし、図１２のＳ２７では、監視機能制御部１１３は、タイマＴの計数値が所定の閾値Ｔ３以上（Ｔ≧Ｔ３）であるか否かを識別する。閾値Ｔ３は、例えば、１０秒である。閾値Ｔ３は、第３の時間の一例である。
【０１７０】
Ｓ５１において警戒モードがオフの場合、監視機能制御部１１３は、宅内１０の無線ＬＡＮを経由してスマートフォン５００との間で無線通信が可能か否かを識別する（Ｓ６１）。つまり、監視機能制御部１１３は、スマートフォン５００が宅内１０の無線ＬＡＮの通信圏内に位置するか否かを識別する。
【０１７１】
ステップＳ６２では、監視機能制御部１１３は、開閉センサ３００からのセンサ検知情報を参照し、センサ検知情報に含まれる情報が閉状態から閉状態に変化したか否かを識別する（Ｓ６２）。
【０１７２】
センサ検知情報に含まれる情報が閉状態に変化した場合、監視機能制御部１１３は、タイマＴの計時を開始する（Ｓ６３）。
【０１７３】
監視機能制御部１１３は、タイマＴの計数値が所定の閾値Ｔ４以上（Ｔ≧Ｔ４）であるか否かを識別する（Ｓ６４）。閾値Ｔ４は、例えば１０秒である。タイマＴの計数値が所定の閾値Ｔ４以上でない場合、Ｓ６４を繰り返す。閾値Ｔ４は、第４の時間の一例である。
【０１７４】
タイマＴの計数値が所定の閾値Ｔ４以上である場合、監視機能制御部１１３は、警戒モードをオンにする（Ｓ６５）。つまり、コードレス電話親機１００のユーザによる操作、外部機器（例えばスマートフォン５００）からの指示がなくても、監視機能制御部１１３は、警戒モードをオンに切り替える。
【０１７５】
図１２の処理によれば、例えば、スマートフォン５００の遠隔操作により警戒モードがオンされた場合の警報出力時間に応じて、警報を出力できる。従って、例えば、スマートフォン５００の遠隔操作に適した警報出力時間が設定されることで、ユーザの利便性を向上できる。また、スマートフォン５００のユーザが在宅中に、開閉センサ３００による閉状態の検知に応じて警戒モードがオンに切り替わる。従って、手動操作により警戒モードをオンとすることなく、ユーザがいる宅内１０の警戒を開始できるので、セキュリティを確保してユーザの利便性を向上できる。
【０１７６】
なお、本発明は、上記実施形態の構成に限られるものではなく、特許請求の範囲で示した機能、または本実施形態の構成が持つ機能が達成できる構成であればどのようなものであっても適用可能である。
【０１７７】
例えば、上記実施形態では、監視システム１０００では、少なくとも一部のセンサの設置が省略されてもよい。
【０１７８】
例えば、上記実施形態では、コードレス電話親機１００とスマートフォン５００との間の無線通信の通信回線として、無線ＬＡＮを例示したが、その他の狭域無線通信の通信回線（例えば、Ｂｌｕｅｔｏｏｔｈ（登録商標））が用いられてもよい。
【０１７９】
例えば、上記実施形態では、スマートフォン５００の代わりに、携帯電話、タブレット端末、ＰＣ、（Ｐｅｒｓｏｎａｌ  Ｃｏｍｐｕｔｅｒ）、その他の携帯端末が設けられてもよい。これらの装置は、スマートフォン５００と同様の機能を有する。
【０１８０】
例えば、上記実施形態では、コードレス電話親機１００以外の装置が、通信システムの制御装置として動作してもよい。
【０１８１】
例えば、上記実施形態では、監視システム１０００が、スマートフォン５００とコードレス電話親機１００との位置関係に応じて、警戒モードのオンオフの設定、警報出力時間の制御等を行うことを例示した。なお、監視システム１０００とは別に、監視対象の領域を監視する一般的な監視システムが存在してもよい。この場合、監視システム１０００は、例えば、スマートフォン５００とコードレス電話親機１００との位置関係に応じて、一般的な監視システムによる警戒モードのオンオフを決定し、一般的な監視システムに対して通知してもよい。また、監視システム１０００は、例えば、スマートフォン５００とコードレス電話親機１００との位置関係に応じて、一般的な監視システムによる警報出力に係る警報出力時間の長さを決定し、一般的な監視システムに通知してもおい。
【０１８２】
（本発明の一態様の概要）
本発明の一態様の通信システムは、携帯端末、センサ、及び制御装置を備える通信システムであって、前記携帯端末は、前記制御装置との間で無線通信する通信部を備え、前記センサは、所定の事象を検知する検知部と、前記検知部により検知された検知情報を送信する送信部と、を備え、前記制御装置は、前記携帯端末との間で、狭域無線通信回線を介して無線通信する第１の通信部と、前記センサから検知情報を受信する第２の通信部と、前記携帯端末が前記制御装置との間の無線通信の通信圏内に位置するか否かに応じて、所定の領域を監視するための警戒モードとして、警戒状態又は前記警戒状態が解除された警戒解除状態を指定する警戒モード指定部と、前記警戒モードが警戒状態であり、前記検知情報に異常状態を示す情報が含まれる異常検知状態が所定時間以上継続した場合、警報を出力する警報出力部と、を備える。
【０１８３】
この構成によれば、例えば、携帯端末のユーザが携帯端末を所持して外出した場合、携帯端末が制御装置との間の無線通信の通信圏外となる。従って、液体端末と制御装置とが連動して、例えば警戒モードを警戒状態に設定でき、容易にセキュリティを確保できる。また、例えば、携帯端末のユーザが携帯端末を所持して帰宅した場合、携帯端末が制御装置との間の無線通信の通信圏内となる。従って、液体端末と制御装置とが連動して、例えば警戒モードを警戒解除状態に設定でき、ユーザの利便性を向上できる。
【０１８４】
本発明の一態様の通信システムは、前記警戒モード指定部が、前記携帯端末が前記制御装置との間の無線通信の通信圏外に位置する場合、前記警戒モードを前記警戒解除状態に指定する。
【０１８５】
この構成によれば、例えば、ユーザが警戒モードを急いで警戒解除状態となるように手動操作しなくても、ユーザを侵入者と誤認することを抑制できる。
【０１８６】
本発明の一態様の通信システムは、前記制御装置が、前記携帯端末が前記制御装置との間の無線通信の通信圏内に位置するか否かに応じて、前記異常検知状態の開始時点から警報が出力されるまでの時間である警報出力時間の長さを制御する時間制御部を備える。
【０１８７】
この構成によれば、携帯端末が存在すると推測される位置に応じて、警戒モードにおいて警報を出力するまでの警報出力時間を調整できる。警報出力時間が調整されることで、監視対象の領域のセキュリティの低下を抑制し、警戒モードの設定に係るユーザの利便性を向上できる。
【０１８８】
本発明の一態様の通信システムは、前記時間制御部が、前記携帯端末が前記制御装置との間の無線通信の通信圏外に位置する場合、前記警報出力時間を所定の第１の時間とし、前記警報出力部が、前記警戒モードが警戒状態であり、前記第１の時間が経過した場合、警報を出力する。
【０１８９】
この構成によれば、例えば、携帯端末が制御装置との間の無線通信の通信圏内に位置する場合、携帯端末のユーザが外出中と推測できるので、センサにより異常が検知された場合には、通常の比較的短い警報出力時間が経過した後に警報を出力できる。この場合、ユーザにより警戒モードを警戒解除状態にする可能性は低いので、ユーザの利便性を損なわずにセキュリティを確保できる。
【０１９０】
本発明の一態様の通信システムは、前記時間制御部が、前記携帯端末が前記制御装置との間の無線通信の通信圏内に位置する場合、前記警報出力時間を前記第１の時間よりも長い所定の第２の時間とし、前記警報出力部が、前記警戒モードが警戒状態であり、前記第２の時間が経過した場合、警報を出力する。
【０１９１】
この構成によれば、例えば、ユーザが宅内にいると推測される場合、ユーザが宅外にいると推測される場合よりも、警報出力時間を長くできる。これにより、ユーザが在宅中には、異常を直ぐに報知しなくてもユーザ自身が確認できるので、セキュリティの低下を抑制できる。また、ユーザが警報の出力を停止するための操作を、余裕を持って実施できるので、ユーザの利便性を向上できる。
【０１９２】
本発明の一態様の通信システムは、前記携帯端末が、前記警戒モードを指定するための操作を受け付ける操作部を備え、前記携帯端末の前記通信部が、前記操作部による操作により指定された前記警戒モードの情報を送信し、前記第１の通信部が、前記警戒モードの情報を受信し、前記警戒モード指定部が、前記警戒モードの情報に応じて、前記警戒モードを指定し、前記時間制御部が、前記警戒モードの情報に応じて前記警戒モードが指定され、前記検知情報に異常状態を示す情報が含まれ、前記携帯端末が前記制御装置との間の無線通信の通信圏外に位置する場合、前記警報出力時間を所定の第３の時間とし、前記警報出力部が、前記警戒モードが警戒状態であり、前記第３の時間が経過した場合、警報を出力する。
【０１９３】
この構成によれば、例えば、携帯端末により遠隔操作された場合の警報出力時間に応じて、警報を出力できる。従って、例えば、携帯端末の遠隔操作に適した警報出力時間が設定されることで、ユーザの利便性を向上できる。
【０１９４】
本発明の一態様の通信システムは、前記時間制御部が、前記検知情報に異常状態を示す情報が含まれず、前記携帯端末が前記制御装置との間の無線通信の通信圏内に位置する場合、前記警報出力時間を所定の第４の時間とし、前記警報出力部が、前記携帯端末が前記制御装置との間の無線通信の通信圏内に位置し、前記検知情報に異常状態を示す情報が含まれる場合、前記検知情報を無視し、前記警戒モード指定部が、前記携帯端末が前記制御装置との間の無線通信の通信圏内に位置し、前記検知情報に異常状態を示す情報が含まれず、前記第４の時間が経過した場合、前記警戒モードを前記警戒状態に指定する。
【０１９５】
この構成によれば、例えば、携帯端末のユーザが在宅中に、センサにより異常が発生していないことが検知されたことに応じて、警戒モードを警戒状態に指定できる。従って、手動操作により警戒モードを警戒状態とすることなく、ユーザが存在する領域内の警戒を開始できるので、セキュリティを確保してユーザの利便性を向上できる。
【０１９６】
本発明の一態様の通信システムは、前記携帯端末が、前記警戒モードが警戒状態であり、前記携帯端末が前記制御装置との間の無線通信の通信圏内に位置する場合、前記警戒モードが警戒状態である旨を報知する報知部を備える。
【０１９７】
この構成によれば、携帯端末のユーザは、警戒モードの指定状態を携帯端末を用いて確認できる。例えば、携帯端末のユーザが帰宅した場合、警戒モードが警戒状態であることを認識できる。従って、例えば、ユーザが手動操作により、警戒モードを忘れずに解除でき、又は、警報が出力される前に手動操作で解除できる可能性を高くできる。また、制御装置は、通信システムにより出力される本来の警報を出力する前に、警戒モードが警戒状態であることをユーザに気づかせることができる。
【０１９８】
本発明の一態様の通信システムは、前記携帯端末が、前記携帯端末が前記制御装置との間の無線通信に起因して前記警戒モードが警戒解除状態に指定された場合、前記警戒モードが警戒解除状態である旨を報知する報知部を備える。
【０１９９】
この構成によれば、例えば、携帯端末のユーザが帰宅した場合、ユーザが警戒モードの手動操作をすることなく、警戒モードが警戒解除状態にされ、警戒モードが警戒解除状態にされた旨を認識できる。
【０２００】
本発明の一態様の通信システムは、前記センサが、人感センサを含む。
【０２０１】
この構成によれば、例えば、人感センサにより人が検知された場合、異常状態であると識別し、人感センサにより人が検知されなかった場合、異常状態でないと識別できる。例えば、監視対象の領域における人の有無に応じて警戒モードが指定されることで、セキュリティ性能と利便性とを両立できる。
【０２０２】
本発明の一態様の通信システムは、前記センサが、所定の開口部の開閉状態を検知する開閉検知センサを含む。
【０２０３】
この構成によれば、例えば、開閉検知センサにより開状態が検知された場合、異常状態であると識別し、開閉検知センサにより閉状態が検知された場合、異常状態でないと識別できる。例えば、監視対象の領域における開閉の状態に応じて警戒モードが指定されることで、セキュリティ性能と利便性とを両立できる。
【０２０４】
本発明の一態様の制御装置は、携帯端末との間で、狭域無線通信回線を介して無線通信する第１の通信部と、センサから、前記センサにより検知された検知情報を受信する第２の通信部と、前記第１の通信部による無線通信の通信圏内に前記携帯端末が位置するか否かに応じて、所定の領域を監視するための警戒モードとして、警戒状態又は前記警戒状態が解除された警戒解除状態を指定する警戒モード指定部と、前記警戒モードが警戒状態であり、前記検知情報に異常状態を示す情報が含まれる異常検知状態が所定時間以上継続した場合、警報を出力する警報出力部と、を備える。
【０２０５】
この構成によれば、例えば、携帯端末のユーザが携帯端末を所持して外出した場合、携帯端末が制御装置との間の無線通信の通信圏外となる。従って、液体端末と制御装置とが連動して、例えば警戒モードを警戒状態に設定でき、容易にセキュリティを確保できる。また、例えば、携帯端末のユーザが携帯端末を所持して帰宅した場合、携帯端末が制御装置との間の無線通信の通信圏内となる。従って、液体端末と制御装置とが連動して、例えば警戒モードを警戒解除状態に設定でき、ユーザの利便性を向上できる。
【０２０６】
本発明の一態様の制御方法は、制御装置における制御方法であって、センサから、前記センサにより検知された検知情報を受信するステップと、携帯端末が前記制御装置との間の狭域無線通信回線を介した無線通信の通信圏内に位置するか否かに応じて、所定の領域を監視するための警戒モードとして、警戒状態又は前記警戒状態が解除された警戒解除状態を指定するステップと、前記警戒モードが警戒状態であり、前記検知情報に異常状態を示す情報が含まれる異常検知状態が所定時間以上継続した場合、警報を出力するステップと、を有する。
【０２０７】
この方法によれば、例えば、携帯端末のユーザが携帯端末を所持して外出した場合、携帯端末が制御装置との間の無線通信の通信圏外となる。従って、液体端末と制御装置とが連動して、例えば警戒モードを警戒状態に設定でき、容易にセキュリティを確保できる。また、例えば、携帯端末のユーザが携帯端末を所持して帰宅した場合、携帯端末が制御装置との間の無線通信の通信圏内となる。従って、液体端末と制御装置とが連動して、例えば警戒モードを警戒解除状態に設定でき、ユーザの利便性を向上できる。
【産業上の利用可能性】
【０２０８】
本発明は、セキュリティ性能と利便性とを両立できる通信システム、制御装置、及び制御方法等に有用である。
【符号の説明】
【０２０９】
４０  固定電話網
５０  携帯電話網
６０  インターネット
７０  固定電話機
８０  無線ルータ
１００  コードレス電話親機
１０１  固定電話回線Ｉ／Ｆ部
１０３  記憶部
１０４  音声入出力制御部
１０５  操作部
１０６  表示部
１０７，３４８，４４８  ＤＥＣＴ無線Ｉ／Ｆ部
１０８，３４９，４４９  ＤＥＣＴプロトコル制御部
１０９  親機制御部
１１０  呼制御部
１１２  音声ストリーム処理部
１１３  監視機能制御部
１１４  画像メモリ制御部
１１５  画像メモリ
１２１，２２１，５０７  無線ＬＡＮ制御部
１２２，２２２，５０８  無線ＬＡＮ通信Ｉ／Ｆ部
１２５  留守番電話制御部
１２６  子機／携帯端末充電部
１２７  ＵＳＢ通信Ｉ／Ｆ部
１２８，２２８，４５１，５１２  マイクロホン
１２９，２２９，４５２，５１３  スピーカ
２００  監視カメラ
２０１  撮像部
２０２  赤外線センサ
２０３  記憶部
２０４  音声入出力制御部
２０５  操作部
２０９  制御部
２１１  画像メモリ制御部
２１２  画像メモリ
２３０  電源部
３００  開閉センサ
３４１  リードスイッチ
３４２  記憶部
３４５  表示ランプ
３４７  制御部
３５０  充電池
３６０  人感センサ
３７０  煙センサ
４００  コードレス電話子機
４４２  記憶部
４４３  音声入出力制御部
４４４  操作部
４４５  表示部
４４７  制御部
４５０，５５０  ２次電池
５００  スマートフォン
５０１  ３Ｇ無線Ｉ／Ｆ部
５０２  ３Ｇプロトコル制御部
５０３  表示／操作部
５０４  記憶部
５０５  音声入出力制御部
５０６  制御部
５１１  ＵＳＢ通信Ｉ／Ｆ部
５１４  監視機能制御部
１０００  監視システム
【図１】
2015185164.tif 000003
【図２】
2015185164.tif 000004
【図３】
2015185164.tif 000005
【図４】
2015185164.tif 000006
【図５】
2015185164.tif 000007
【図６】
2015185164.tif 000008
【図７】
2015185164.tif 000009
【図８】
2015185164.tif 000010
【図９】
2015185164.tif 000011
【図１０】
2015185164.tif 000012
【図１１】
2015185164.tif 000013
【図１２】
2015185164.tif 000014
【図１３】
2015185164.tif 000015